(57)【要約】      （修正有）【課題】省エネ効率を高めてエネルギーを節約し、全体の機能品質を高める単相リアクトル節電装置を提供する。【解決手段】第一キャパシタ１４は電気エネルギーを蓄え、第一リアクトル１６および第二リアクトル１８は第一キャパシタに電気的に接続して第一交流自己インダクタンスエネルギーおよび第二交流自己インダクタンスエネルギーを個別に送り出す。センタータップ式回路２０は第一交流自己インダクタンスエネルギーおよび第二交流自己インダクタンスエネルギーを直流電力に変換し、第二キャパシタ２２はセンタータップ式回路に電気的に接続して直流電力を蓄える。第一直流リアクトル２４および第二直流リアクトル２６は第二キャパシタ２２より、直流電力を受け取り、第一直流自己インダクタンスエネルギーおよび第二直流自己インダクタンスエネルギーをそれぞれ負荷１２に送る。【選択図】図１
0003180300.tif 000002
【実用新案登録請求の範囲】
【請求項１】
交流電源を受けるのに用いられ、負荷に電気的に接続し、前記交流電源は電場エネルギーを有する、単相リアクトル節電装置であって、前記単相リアクトル節電装置は、
前記交流電源に電気的に接続し、前記電場エネルギーを蓄える第一キャパシタと、
前記第一キャパシタに電気的に接続し、前記電場エネルギーを受け取るとともに第一交流自己インダクタンスエネルギーに変換する第一リアクトルと、
前記第一キャパシタに電気的に接続し、前記電場エネルギーを受け取るとともに第二交流自己インダクタンスエネルギーに変換する第二リアクトルと、
前記第一リアクトルおよび前記第二リアクトルに電気的に接続し、前記第一交流自己インダクタンスエネルギーおよび前記第二交流自己インダクタンスエネルギーを受け取るとともに直流電力に変換するセンタータップ式回路と、
前記センタータップ式回路に電気的に接続し、前記直流電力を蓄える第二キャパシタと、
前記センタータップ式回路に電気的に接続し、前記直流電力を受け取り、第一直流自己インダクタンスエネルギーおよび第二直流自己インダクタンスエネルギーをそれぞれ発生させて前記負荷まで送る第一直流リアクトルおよび第二直流リアクトルと、
を少なくとも含むことを特徴とする単相リアクトル節電装置。
【請求項２】
前記負荷は、直流負荷であり、前記第一直流リアクトルおよび前記第二直流リアクトルに電気的に接続してループを形成し、前記直流負荷は前記第一直流自己インダクタンスエネルギーおよび前記第二直流自己インダクタンスエネルギーを受け取ることを特徴とする、請求項１に記載の単相リアクトル節電装置。
【請求項３】
前記直流負荷は、抵抗性負荷、誘導性負荷または容量性負荷であることを特徴とする、請求項２に記載の単相リアクトル節電装置。
【請求項４】
前記センタータップ式回路は、前記第一リアクトルおよび前記第二リアクトルに電気的に接続し、前記第一交流自己インダクタンスエネルギーおよび前記第二交流自己インダクタンスエネルギーを受け取り、第三交流自己インダクタンスエネルギーに変換する単相変圧器と、前記単相変圧器に電気的に接続し、前記第三交流自己インダクタンスエネルギーを整流して前記直流電力にする整流回路とを備えることを特徴とする、請求項１に記載の単相リアクトル節電装置。
【請求項５】
前記整流回路は、第一アノードおよび第一カソードを具備し、前記第一アノードは前記単相変圧器に電気的に接続する第一ダイオードと、第二アノードおよび第二カソードを具備し、前記第二カソードは前記第一アノードおよび前記単相変圧器に電気的に接続する第二ダイオードと、第三アノードおよび第三カソードを具備し、前記第三カソードは前記第一カソードおよび前記第二キャパシタに電気的に接続する第三ダイオードと、第四アノードおよび第四カソードを具備し、前記第四アノードは前記第二アノードおよび前記第二キャパシタに電気的に接続し、前記第四カソードは前記第三アノードおよび前記単相変圧器に電気的に接続する第四ダイオードと、を備えることを特徴とする、請求項４に記載の単相リアクトル節電装置。
【請求項６】
前記単相変圧器は、コアおよびコイルを具備し、前記コアの材質はケイ素鋼板であることを特徴とする、請求項４に記載の単相リアクトル節電装置。
【請求項７】
前記第一キャパシタおよび前記第二キャパシタは電力用キャパシタであることを特徴とする、請求項１に記載の単相リアクトル節電装置。
【請求項８】
前記第一リアクトルおよび前記第二リアクトルは電力リアクトルであり、かつ、前記第一リアクトルおよび前記第二リアクトルはコアおよびコイルを備え、前記コイルの材質はケイ素鋼板であることを特徴とする、請求項１に記載の単相リアクトル節電装置。
【請求項９】
前記第一リアクトル、前記第二リアクトル、前記第一直流リアクトルおよび前記第二直流リアクトルは、巻線型インダクタ、積層型インダクタ、薄膜型インダクタまたはフェライトビーズインダクタであることを特徴とする、請求項８に記載の単相リアクトル節電装置。
【請求項１０】
前記交流電源および前記第一キャパシタに電気的に接続する回路遮断器をさらに含むことを特徴とする、請求項１に記載の単相リアクトル節電装置。
【請求項１１】
前記第一直流リアクトルおよび前記第二直流リアクトルに電気的に接続し、前記第一直流自己インダクタンスエネルギーおよび前記第二直流自己インダクタンスエネルギーを受け取るとともに交流電力に変換するブリッジ整流回路と、前記ブリッジ整流回路に電気的に接続して前記ブリッジ整流回路の状態を制御する制御器と、をさらに含むことを特徴とする、請求項１に記載の単相リアクトル節電装置。
【請求項１２】
前記ブリッジ整流器は、第一端子、第二端子および第一制御ゲートを具備する第一双方向サイリスタと、第一エミッタおよび第一コレクタを具備し、前記第一エミッタは前記第一端子に電気的に接続し、前記第一コレクタは前記第二端子に電気的に接続する第一絶縁ゲートバイポーラトランジスタと、第三端子、第四端子および第二制御ゲートを具備し、前記第三端子は前記第二端子に電気的に接続する第二双方向サイリスタと、第二エミッタおよび第二コレクタを具備し、前記第二エミッタは前記第三端子に電気的に接続し、前記第二コレクタは前記第四端子に電気的に接続し、かつ、前記第二エミッタは前記第一コレクタに電気的に接続する第二絶縁ゲートバイポーラトランジスタと、第五端子、第六端子および第三制御ゲートを具備する第三双方向サイリスタと、第三エミッタおよび第三コレクタを具備し、前記三エミッタは前記第五端子に電気的に接続し、前記第三コレクタは前記第六端子に電気的に接続する第三絶縁ゲートバイポーラトランジスタと、第七端子、第八端子および第四制御ゲートを具備し、前記第七端子は前記第六端子に電気的に接続する第四双方向サイリスタと、第四エミッタおよび第四コレクタを具備し、前記第四エミッタは前記第七端子に電気的に接続し、前記第四コレクタは前記第八端子に電気的に接続し、前記第四エミッタは前記第三コレクタに電気的に接続する第四絶縁ゲートバイポーラトランジスタと、を備え、前記第一制御ゲート、第二制御ゲート、第三制御ゲートおよび第四制御ゲートは前記制御器に電気的に接続することを特徴とする、請求項１１に記載の単相リアクトル節電装置。
【請求項１３】
前記負荷は交流負荷であり、前記第二端子および前記第六端子に電気的に接続してループを形成し、前記交流負荷は前記交流電力を受けることを特徴とする、請求項１２に記載の単相リアクトル節電装置。
【請求項１４】
前記交流負荷は抵抗性負荷、誘導性負荷または容量性負荷であることを特徴とする、請求項１３に記載の単相リアクトル節電装置。
【考案の詳細な説明】
【技術分野】
【０００１】
本考案は節電装置に関するものであって、特に単相リアクトル節電装置に関するものである。
【背景技術】
【０００２】
科学技術の進歩や現代人の生活利便性に対するニーズに伴い、国民所得は上がり生活品質も向上してきた。一方で、家庭のベーシックな家電の種類が増えるにつれ、二酸化炭素排出量も増加している。工業用電力についても、電気エネルギーのニーズは日々増していき、このままではエネルギー危機により、経済ショックを引き起こすおそれもある。突然起こる経済衰退の多くは一般的にエネルギー危機によって生じるものである。
現在エネルギー危機のために、世界各国はグリーンエネルギーの開発を進めており、このグリーンエネルギー推進の風潮において、どのようにクリーンなグリーンエネルギーを提供し、より省エネできる節電装置を提供するかが世界的なグリーンエネルギー産業の研究開発の二大潮流となっている。
【０００３】
現在、エネルギー危機解決のため、市場では既に節電装置を備えた製品が流通している。これらの製品の多くは、電気機器の設定時間に電源をオンにしたりオフにしたりすることで不用な電力消費を抑えるものである。電気機器を使わない時には、ユーザーは総電源をオフにするだけで電気機器と外部電源の接続を切断できるので、節電効果を達成できる。しかし、これらの電力節約装置は、ユーザーが電源スイッチの設定を利用するだけであり、本当に電力節約効果があるとは言いがたい。
【考案の概要】
【考案が解決しようとする課題】
【０００４】
これらの問題に鑑みて、本考案者は、関連産業の研究開発に従事した長年の経験にもとづき、既存の節電装置の使用上生じる問題を深く追求し、多くの分析を行い、解決策を積極的に模索し、研究と発展のため長期的に努力を重ねてきた。その結果、上述の欠点を改善すべく、各種家電ならびに工業用電力の電気抵抗性、容量性および誘導性の負荷に応用できる、単相リアクトル節電装置の考案に終に成功した。
【０００５】
本考案の第一の目的は、磁気電気効果をもたらし、電力節約作用を有し、負荷設備の電力消費を低減し、節電効率を高めてエネルギー節約することにより全体の機能品質を高める、単相リアクトル節電装置を提供することである。
【０００６】
本考案の第二の目的は、整流回路が単相変圧器に電気的に接続する設計を利用し、第三交流自己インダクタンスエネルギーを整流して直流電力に変換することにより、電動機電源入力設備の容量を減らすと同時に、線電流補償電力を低減し、リアクタンス整流の特性をより優れたものにする、単相リアクトル節電装置を提供することである。
【０００７】
本考案の第三の目的は、キャパシタ（コンデンサ）を増設して、さらに部分的な無効電力（ＫＶＡＲ）を相殺し、有効電力（ＫＷ）を増やし、力率（Ｐ．Ｆ）を高めて改善し、総電力（ＫＶＡ）を低減できる単相リアクトル節電装置を提供することである。広い応用範囲には、全ての家電用および工業用電力節約装置等の負荷が含まれる。本考案の単相リアクトル節電装置は、電力会社の力率基準に合わせ、電流遅れ力率の基準値である８０％より低くならないようにする。
【０００８】
本考案の第四の目的は、ブリッジ整流回路増設の設計により、直流自己インダクタンスエネルギーを受け取るとともに交流電力に変換できる単相リアクトル節電装置を提供することである。これにより本考案は、直流負荷に応用できるだけでなく、交流負荷にも用いることができ、ブリッジ整流回路の増設と同時に、フェライトビーズインダクタを用いたリアクトルを選択し、最大の直流電力に変換できる。
このように本考案は、例えばアクティブパワーフィィルタ（Ａ．Ｐ．Ｆ．）や力率補正（Ｐ．Ｆ．Ｃ．）のような各種の多機能を備えた電力供給システムを統合することで、直流電源駆動を容易にし、電力品質を改善して省エネ効果を達成する。
【０００９】
本考案の第五の目的は、回線インピーダンス損失を減らし、全体の機能品質を高めることができる単相リアクトル節電装置を提供することである。線電流が低減され、電圧降下が減少するので、さらに安定した品質の電力供給ができる。また、設備の損失が減り寿命が延び、電圧調整率が改善し、あらゆる電力設備の負荷に電力を提供できる。単相リアクトル節電装置がメインスイッチに近い場合は、電力効率値が高くなり、配電盤スイッチを負荷に合わせた状況で使用すると、全体的な電源の力率は高くなる。
【課題を解決するための手段】
【００１０】
上述の目的を達成するため、本考案は、交流電源を受けるのに用いられ、負荷に電気的に接続し、交流電源は電場エネルギーを有する、単相リアクトル節電装置を提供する。
単相リアクトル節電装置は、交流電源に電気的に接続して電場エネルギーを蓄える第一キャパシタ（コンデンサ）と、第一キャパシタに電気的に接続して電場エネルギーを受け取るとともに第一交流自己インダクタンスエネルギーに変換する第一リアクトルと、第一キャパシタに電気的に接続して電場エネルギーを受け取るとともに第二交流自己インダクタンスエネルギーに変換する第二リアクトルと、第一リアクトルおよび第二リアクトルに電気的に接続して第一交流自己インダクタンスエネルギーおよび第二交流自己インダクタンスエネルギーを受け取るとともに直流電力に変換するセンタータップ式回路と、センタータップ式回路に電気的に接続して直流電力を蓄える第二キャパシタ（コンデンサ）と、センタータップ式回路に電気的に接続して直流電力を受け取り、第一直流自己インダクタンスエネルギーおよび第二直流自己インダクタンスエネルギーをそれぞれ負荷まで送る第一直流リアクトルおよび第二直流リアクトルと、を少なくとも含む。
【考案の効果】
【００１１】
以下の説明および図１、図２、図３で開示される技術内容によれば、電力節約作用を有する本考案の単相リアクトル節電装置１０は、節電に有効であり、負荷の電力消費を低減し、節電効率を上げ、エネルギーの節約を可能にする。さらに、負荷電源入力設備の容量を減らすと同時に、線電流を低減し、電力を補償し、リアクタンス整流の特性をより優れたものにできる。
また、回線インピーダンス損失が減り、全体の機能品質が高められる。そして、線電流が低減し、電圧降下が減少するので、より安定した品質の電力供給ができ、設備の損耗が減り負荷の使用寿命が延びる。単相リアクトル節電装置がメインスイッチに近い場合は、電力効率値が高くなり、配電盤スイッチを負荷に合わせた状況で使用すると、電圧調整率が改善され、全体的な電源の力率は高くなる。部分電力モニタリングシステムは、自動制御の力率調整器を備えるので、単相リアクトル節電装置１０は、電力会社の力率基準に合わせ、電流遅れ力率の基準値である８０％より低くならないようにできる。
【００１２】
単相リアクトル節電装置１０は、第一キャパシタ１４および第二キャパシタ２２を増設して、部分的な無効電力（ＫＶＡＲ）を相殺し、有効電力（ＫＷ）を増やし、力率（Ｐ．Ｆ）を改善して高め、総電力（ＫＶＡ）を削減できる。その広い応用範囲には、全ての家電用および工業用電力節約装置等の負荷が含まれる。
【００１３】
負荷が誘導電動機の交流負荷６２である場合、誘導電動機の固定子と回転子の間には空気の隙間ができ、滑りから生じる摩擦で引っかかることがなく、負荷をかけた後、急激に電流が大きくなり力率が低下する。このような状況では、本考案の単相リアクトル節電装置１０の使用がさらに適している。例えばアクティブパワーフィルタ（Ａ．Ｐ．Ｆ．）や力率補正（Ｐ．Ｆ．Ｃ．）のような各種機能を備えた電力供給システムを統合することで、直流電源駆動に合わせ、電力品質を改善して省エネ効果を達成できる。
【図面の簡単な説明】
【００１４】
【図１】本考案の単相リアクトル節電装置の回路図。
【図２】本考案の回路遮断器を増設した単相リアクトル節電装置の回路を示す図。
【図３】本考案のブリッジ整流回路を増設した単相リアクトル節電装置の回路を示す図。
【考案を実施するための形態】
【００１５】
本考案の目的、技術内容、特徴および達成される効果の更なる理解のため、以下のとおり具体的実施例と図面にもとづき詳細を説明する。
【００１６】
本考案の実施方式と解決すべき問題と問題解決の技術については参考図面に合わせた詳細説明の中で１つずつ提示し、相背景技術と照らし合わせた際の効果については、＜考案の効果＞で述べたとおりである。
【実施例】
【００１７】
本考案の実施例をここに開示する。まず図１の本考案の単相リアクトル節電装置の回路図を参照されたい。図が示すように、本考案の単相リアクトル節電装置１０は、交流電源を受けるのに用いられるとともに、直流負荷１２に電気的に接続し、交流電源は電場エネルギーを有する。
単相リアクトル節電装置１０は、第一キャパシタ（コンデンサ）１４と、第一リアクトル１６および第二リアクトル１８と、センタータップ式回路２０と、第二キャパシタ（コンデンサ）２２と、第一直流リアクトル２４および直流リアクトル２６と、を少なくとも含む。
第一キャパシタ１４は、交流電源に電気的に接続する電力キャパシタであり、電場エネルギーを蓄える。第一リアクトル１６および第二リアクトル１８は、第一キャパシタ１４に電気的に接続する電力リアクトルであり、電場エネルギーを受け取るとともに第一交流自己インダクタンスエネルギーおよび第二交流自己インダクタンスエネルギーにそれぞれ変換する。
センタータップ式回路２０は、第一リアクトル１６および第二リアクトル１８に電気的に接続し、第一交流自己インダクタンスエネルギーおよび第二交流自己インダクタンスエネルギーを受け取るとともに直流電力に変換する。第二キャパシタ２２は、センタータップ式回路２０に電気的に接続する電力用キャパシタであり、直流電力を蓄える。第一直流リアクトル２４および第二直流リアクトル２６は、センタータップ式回路２０に電気的に接続し、直流電力を受け取った後、第一直流自己インダクタンスエネルギーおよび第二直流自己インダクタンスエネルギーを発生させそれぞれ直流負荷１２まで送る。
【００１８】
このとき、直流負荷１２は、抵抗性負荷、誘導性負荷または容量性負荷の直流負荷であり、第一直流リアクトル２４および第二直流リアクトル２６に電気的に接続してループを形成し、この直流負荷１２は第一直流自己インダクタンスエネルギーおよび第二直流自己インダクタンスエネルギーを受け取る。
【００１９】
前述のセンタータップ式回路２０は第一リアクトル１６および第二リアクトル１８に電気的に接続する単相変圧器２８を具備し、第一交流自己インダクタンスエネルギーおよび第二交流自己インダクタンスエネルギーを受け取り第三交流自己インダクタンスエネルギーに変換し、整流回路３０は単相変圧器２８に電気的に接続して第三交流自己インダクタンスエネルギーを整流して直流電力に変換する。
【００２０】
前述の単相変圧器２８はコアおよびコイルを具備し、コアの材質はケイ素鋼板である。第一リアクトル１６、第二リアクトル１８、第一直流リアクトル２４および第二直流リアクトル２６はコアおよびコイルを具備し、コアの材質はケイ素鋼板であることで、電気抵抗率が増し、保磁力が低下し、磁性安定性が改善されてその磁束の飽和密度が高くなる。
【００２１】
第一リアクトル１６および第二リアクトル１８は高出力リアクトルである。この高出力リアクトルは、電気エネルギーを交流自己インダクタンスエネルギーの形式で通過させ蓄えることができる受動電子素子の一種である。電場エネルギーが通過するとき、電場エネルギーが流れてきた方向の右側から交流自己インダクタンスエネルギーが発生する。
第一リアクトル１６、第二リアクトル１８、第一直流リアクトル２４および第二直流リアクトル２６は、巻線型インダクタ、積層型インダクタ、薄膜型インダクタまたはフェライトビーズインダクタである。第一リアクトル１６、第二リアクトル１８、第一直流リアクトル２４および第二直流リアクトル２６に、フェライトビーズインダクタを用いたリアクトルを選択するとき、最大直流電力に変換することができる。
【００２２】
整流回路３０は、高出力ダイオードである第一ダイオード３２、第二ダイオード３４、第三ダイオード３６および第四ダイオード３８を備える。第一ダイオード３２は第一アノードＡ1および第一カソードＫ1を具備し、第一アノードＡ1は単相変圧器２８に電気的に接続する。第二ダイオード３４は第二アノードＡ2および第二カソードＫ2を具備し、第二カソードＫ2は第一アノードＡ1および単相変圧器２８に電気的に接続する。
第三ダイオード３６は第三アノードＡ3および第三カソードＫ3を具備し、第三カソードＫ3は第一カソードＫ1および第二キャパシタ２２に電気的に接続する。第四ダイオード３８は第四アノードＡ4および第四カソードＫ4を具備し、第四アノードＡ4は第二アノードＡ2および第二キャパシタ２２に電気的に接続し、第四カソードＫ4は第三アノードＡ3および単相変圧器２８に電気的に接続する。
【００２３】
次に、本考案の回路遮断器を増設した単相リアクトル節電装置の回路を示す図である図２を参照されたい。図が示すように、本考案の回路遮断器４０は交流電源および第一キャパシタ１４に電気的に接続する。その回路遮断器４０は耐高圧性の過電流保護装置の一種であり、室内または工業配線で使用されるメインスイッチと配電制御スイッチに用いられる、負荷の保護に有効な重要素子の一種である。主に、短絡保護と深刻な過負荷の防止に用いられ、工業機器上の負荷保護については保護装置の一つとして回路遮断器の使用が指定されることがある。
【００２４】
続いて、本考案のブリッジ整流回路４２を増設した単相リアクトル節電装置の回路を示す図である図３を参照されたい。図が示すように、ブリッジ整流回路４２は第一直流リアクトル２４および第二直流リアクトル２６に電気的に接続し、第一直流自己インダクタンスエネルギーおよび第二直流自己インダクタンスエネルギーを受け取るとともに交流電力に変換する。制御器４４はブリッジ整流回路４２に電気的に接続し、ブリッジ整流回路４２の状態を制御する。
【００２５】
上述のブリッジ整流回路４２は、第一双方向サイリスタ４６、第一絶縁ゲートバイポーラトランジスタ４８、第二双方向サイリスタ５０、第二絶縁ゲートバイポーラトランジスタ５２、第三双方向サイリスタ５４、第三絶縁ゲートバイポーラトランジスタ５６、第四双方向サイリスタ５８および第四絶縁ゲートバイポーラトランジスタ６０を含む。
第一双方向サイリスタ４６は第一端子Ｔ1、第二端子Ｔ2および第一制御ゲートＧ1を具備する。第一絶縁ゲートバイポーラトランジスタ４８は、第一エミッタＥ1および第一コレクタＣ1を具備し、第一エミッタＥ1は第一端子Ｔ1に電気的に接続し、第一コレクタＣ1は第二端子Ｔ2に電気的に接続する。第二双方向サイリスタ５０は、第三端子Ｔ3、第四端子Ｔ4および第二制御ゲートＧ2を具備し、第三端子Ｔ3は第二端子Ｔ2に電気的に接続する。第二絶縁ゲートバイポーラトランジスタ５２は、第二エミッタＥ2および第二コレクタＣ2を具備し、第二エミッタＥ2は第三端子Ｔ3に電気的に接続し、第二コレクタＣ2は第四端子Ｔ4に電気的に接続し、第二エミッタＥ2は第一コレクタＣ1に電気的に接続する。
第三双方向サイリスタ５４は第五端子Ｔ5、第六端子Ｔ6および第三制御ゲートＧ3を具備する。第三絶縁ゲートバイポーラトランジスタ５６は第三エミッタＥ3および第三コレクタＣ3を具備し、第三エミッタＥ3は第五端子Ｔ5に電気的に接続し、第三コレクタＣ3は第六端子Ｔ6に電気的に接続する。第四双方向サイリスタ５８は、第七端子Ｔ7、第八端子Ｔ8および第四制御ゲートＧ4を具備し、第七端子Ｔ7は第六端子Ｔ6に電気的に接続する。
第四絶縁ゲートバイポーラトランジスタ６０は、第四エミッタＥ4および第四コレクタＣ4を具備し、第四エミッタＥ4は第七端子Ｔ7に電気的に接続し、第四コレクタＣ4は第八端子Ｔ8に電気的に接続し、第四エミッタＥ4は第三コレクタＣ3に電気的に接続する。
また、第一制御ゲートＧ1、第二制御ゲートＧ2、第三制御ゲートＧ3および第四制御ゲートＧ4は制御器４４に電気的に接続する。交流負荷６２は、抵抗性負荷、誘導性負荷または容量性負荷であり、第二端子Ｔ2および第六端子Ｔ6と電気的に接続してループを形成する。交流負荷６２は交流電力を受け取る。
【００２６】
単相リアクトル節電装置１０はブリッジ整流回路４２を増設した場合、単相リアクトル節電装置１０は例えば交流電動機の交流負荷６２に応用できる。交流負荷６２は、抵抗性負荷、誘導性負荷または容量性負荷であり、抵抗性負荷には例えば白熱灯や電熱線がある。誘導性負荷には例えば交流電動機、単相変圧器またはインダクタのような電磁装置がある。容量性負荷には例えばキャパシタ（コンデンサ）などがある。
【００２７】
以上に開示した本考案の実施例は、本考案の実施範囲を限定するものではない。本考案の精神と領域を脱しない範囲内で加えた変更や潤色は全て、本考案の実用新案登録請求の範囲内に含まれる。本考案の実用新案登録請求の範囲は添付した請求項を参照する。
【符号の説明】
【００２８】
１０  単相リアクトル節電装置
１２  直流負荷
１４  第一キャパシタ
１６  第一リアクトル
１８  第二リアクトル
２０  センタータップ式回路
２２  第二キャパシタ
２４  第一直流リアクトル
２６  第二直流リアクトル
２８  単相変圧器
３０  整流回路
３２  第一ダイオード
３４  第二ダイオード
３６  第三ダイオード
３８  第四ダイオード
４０  回路遮断器
４２  ブリッジ整流回路
４４  制御器
４６  第一双方向サイリスタ
４８  第一絶縁ゲートバイポーラトランジスタ
５０  第二双方向サイリスタ
５２  第二絶縁ゲートバイポーラトランジスタ
５４  第三双方向サイリスタ
５６  第三絶縁ゲートバイポーラトランジスタ
５８  第四双方向サイリスタ
６０  第四絶縁ゲートバイポーラトランジスタ
６２  交流負荷
Ａ1  第一アノード
Ｋ1  第一カソード  
Ａ2  第二アノード
Ｋ2  第二カソード
Ａ3  第三アノード
Ｋ3  第三カソード
Ａ4  第四アノード
Ｋ4  第四カソード
Ｔ1  第一端子
Ｔ2  第二端子
Ｇ1  第一制御ゲート
Ｅ1  第一エミッタ
Ｃ1  第一コレクタ
Ｔ3  第三端子
Ｔ4  第四端子
Ｇ2  第二制御ゲート
Ｅ2  第二エミッタ
Ｃ2  第二コレクタ
Ｔ5  第五端子
Ｔ6  第六端子
Ｇ3  第三制御ゲート
Ｅ3  第三エミッタ
Ｃ3  第三コレクタ
Ｔ7  第七端子
Ｔ8  第八端子
Ｇ4  第四制御ゲート
Ｅ4  第四エミッタ
Ｃ4  第四コレクタ
Ｔ7  第七端子
Ｔ8  第八端子
【図１】
0003180300.tif 000003
【図２】
0003180300.tif 000004
【図３】
0003180300.tif 000005